(57)【要約】【課題】コンベヤ装置の寸法を短くできる袋詰品の均し装置。【解決手段】袋詰品２を搬送するエンドレス状搬送ベルト４を有するコンベヤ装置５と、エンドレス状搬送ベルト４を移動させる駆動装置６とを備え、駆動装置６は、エンドレス状搬送ベルト４を搬出方向（矢符Ｄ方向）へ均し加減速度で前進させる前進操作と、エンドレス状搬送ベルト４を搬出方向と逆方向（矢符Ｅ方向）へ均し加減速度で後退させる後退操作とを交互に繰り返し、エンドレス状搬送ベルト４の搬出方向への移動量を逆方向への移動量より多くすること。【選択図】図１
2011093574.tif 000002
【特許請求の範囲】
【請求項１】
袋詰品を搬送しつつその内容物を袋全体に均す袋詰品の均し装置において、袋詰品を搬送するエンドレス状搬送ベルトを有するコンベヤ装置と、エンドレス状搬送ベルトを移動させる駆動装置とを備え、駆動装置は、エンドレス状搬送ベルトを搬出方向へ均し加減速度で前進させる前進操作と、エンドレス状搬送ベルトを搬出方向と逆方向へ均し加減速度で後退させる後退操作とを交互に繰り返し、エンドレス状搬送ベルトの搬出方向への移動量を逆方向への移動量より多くすることを特徴する袋詰品の均し装置。
【発明の詳細な説明】
【技術分野】
【０００１】
本発明は、箱詰め機等に向けて搬送される袋詰品を、その内容物が袋全体に分散するよう均して扁平状とする袋詰品の均し装置に関するものである。
【背景技術】
【０００２】
縦型製袋充填機等の袋詰充填機で包装された袋詰品を箱詰め機で箱詰め処理する場合には、袋内の一方に偏っている内容物を全体に均して扁平状にして横倒し状態の袋詰品の嵩寸法を小さくして箱詰め処理することが一般的に行われている。袋詰品を均す装置としては、袋詰充填機から箱詰め機までの間に設置したコンベヤ装置について、外周の回転軌跡が上下変動を生じる形状とした搬送ローラを採用し、該ローラで袋詰品の下面を支持して上下動させつつ搬送することで内容物の均しを行なうものがある。
【０００３】
例えば、ローラーコンベヤにおける多数の回転ローラの一部または全部を、その断面が楕円や六角形等の非円形断面形状に形成すると共に、物品搬送方向に隣接する非円形断面回転ローラの回転位相を適宜ずらせて設置したものに袋詰品を載置して搬送することで、該袋詰品の内容物を均す装置がある（特許文献１）。
【先行技術文献】
【特許文献】
【０００４】
【特許文献１】実公平６−３７８１号公報
【発明の概要】
【発明が解決しようとする課題】
【０００５】
従来の袋詰品の均し装置は、ローラーコンベヤで袋詰品を搬送しつつ上下移動させるため、均し難い内容物のときに、コンベヤ装置の寸法が長くなる問題点がある。
そこで、本発明は、従来の問題点を解決するために、コンベヤ装置の寸法を短くできる袋詰品の均し装置を提供することを目的とする。
【課題を解決するための手段】
【０００６】
本発明が採用した手段は、図１に示す如く、袋詰品２を搬送しつつその内容物３を袋全体に均す袋詰品の均し装置において、袋詰品２を搬送するエンドレス状搬送ベルト４を有するコンベヤ装置５と、エンドレス状搬送ベルト４を移動させる駆動装置６とを備え、駆動装置６は、エンドレス状搬送ベルト４を搬出方向（矢符Ｄ方向）へ均し加減速度で前進させる前進操作と、エンドレス状搬送ベルト４を搬出方向と逆方向（矢符Ｅ方向）へ均し加減速度で後退させる後退操作とを交互に繰り返し、エンドレス状搬送ベルト４の搬出方向への移動量を逆方向への移動量より多くすることを特徴する袋詰品の均し装置である。    
【０００７】
本発明にあっては、多数の内容物が袋内の一方に偏って詰められている袋詰品をエンドレス状搬送ベルトに載置して搬送するときに、内容物のうちの移動し易いものが、ベルトの均しする加減速度で前進及び後退するときに内容物に生じる慣性力で移動し、この前進及び後退の交互の繰り返しで内容物を全体に均して扁平状にできる。
【発明の効果】
【０００８】
本発明に係る袋詰品の均し装置は、短い寸法のエンドレス状搬送ベルトであっても、ベルトの搬出方向への移動量と逆方向への移動量との差を小さくすることで、前進操作と後退操作の繰返し回数を多くすることが可能となり、内容物を全体に均しつつ袋詰品を搬送することができる。
【図面の簡単な説明】
【０００９】
【図１】本発明に係る袋詰品の均し装置の実施の形態を示すものであって、図（Ａ）は平面図、図（Ｂ）は右側断面図である。
【図２】エンドレス状搬送ベルトの速度変化を示すグラフである。
【発明を実施するための形態】
【００１０】
本発明に係る袋詰品の均し装置（以下、「本発明均し装置」と言う。）を図１及び図２に示す実施形態に基づいて説明する。
【００１１】
本発明均し装置１は、搬出方向（矢符Ｄ方向）へ袋詰品２を搬送するコンベヤ装置５と、コンベヤ装置５を正逆方向へ駆動する駆動装置６とを備えている。該コンベヤ装置５は、前後のスタンド１０，１１と、スタンド１０，１１で支持される左右のフレーム１２，１３と、フレーム１２，１３に架設した前後のローラ１４，１５と、前後のローラ１４，１５に張架したエンドレス状ベルト４とを備えている。
【００１２】
前記エンドレス状ベルト４は、載置した袋詰品２との間で滑りが生じないように、搬送面４ａを摩擦係数の大きなゴム素材等で形成してある。なお、コンベヤ装置５は、エンドレス状ベルト４と袋詰品２との間で滑りが確実に生じないようにするために、エンドレス状ベルト４に通気孔を設ける等してエンドレス状ベルト４を通気性にすると共に、エンドレス状ベルト４の非搬送面側に配置した吸引箱（図示略）の吸引力で、袋詰品２を搬送面４ａへ吸着させるように構成することも可能である。
【００１３】
前記駆動装置６は、搬出側のローラ１４を交互に正逆回転させるサーボモータ等から構成され、エンドレス状搬送ベルト４を搬出方向（矢符Ｄ方向）へ均しできる加減速度で前進させる前進操作（例えば、操作時間Ｔｄは、０．４０〜０．７０秒の範囲内で設定される。）と、エンドレス状搬送ベルト４を搬出方向と逆方向（矢符Ｅ方向）へ均しできる加減速度で後退させる後退操作（例えば、操作時間Ｔｅは、上記前進操作の操作時間Ｔｄの５０〜７０％とされる。）とを交互に連続的又は断続的に繰り返し、前進操作及び後退操作を繰り返す単位時間におけるエンドレス状搬送ベルト４の搬出方向への移動量（Ｓｄｍ／ｍｉｍ）を逆方向への移動量（Ｓｅｍ／ｍｉｍ）より多くし、搬出方向への移動量と逆方向への移動量の差の移動量（Ｓｄ−Ｓｅｍ／ｍｉｍ。例えば、５〜３０ｍ／ｍｉｎ）で袋詰品２を搬送するようにしてある。
【００１４】
本発明均し装置１は、本例ではコンベヤ装置５のエンドレス状搬送ベルト４を搬出方向（矢符Ｄ方向）へ向かって上り傾斜させてあるが、これに限定されるものではなく、コンベヤ装置５のエンドレス状搬送ベルト４を水平にすることも勿論可能である。
【００１５】
本発明均し装置１が対象とする袋詰めされた内容物３，３…としては、例えば、長手寸法が０．５〜３０ｍｍ程度の顆粒や粒状の食料品や薬品等がある。本発明均し装置１は、縦型製袋充填機等の袋詰充填機８で包装された多数の内容物３，３…が袋内の一方に偏って詰められている袋詰品２をエンドレス状搬送ベルト４に載置させて搬送するときに、ベルト４が均しする加減速度で前進（矢符Ｄ方向）及び後退（矢符Ｅ方向）することにより各内容物３に生じる慣性力や各内容物３に加わる適度の衝撃で、移動し易い内容物３，３…（例えば、重なっている上方の内容物３，３…）が移動し、この前進及び後退の繰り返しで内容物３，３…を全体に均して扁平状にすることができる。この均しの原理は、例えば、板上に山状にして内容物群を載せて板を急速に前後移動させたとき、内容物群が崩れて扁平状に均される現象を利用している。
【００１６】
本発明均し装置１は、搬送方向に沿う寸法が短いエンドレス状搬送ベルト４であっても、ベルト４の搬出方向への移動量と逆方向への移動量との差を小さくすることで、前進操作と後退操作の繰返し回数を多くすることが可能となり、内容物３，３…を全体に均しつつ袋詰品２を搬送することができる。また、本発明均し装置１は、各内容物３に生じる慣性力や各内容物３に加わる適度の衝撃で内容物の全体を均して扁平状にするため、従来の多数の非円形断面回転ローラで内容物を突き上げるように叩くの比べて、内容物３に与えるダメージを極端に小さくできる。更に、本発明均し装置１は、エンドレス状搬送ベルト４を用いて袋詰品２を搬送する構造であるため、従来の多数の非円形断面回転ローラを回転位相を適宜ずらせて設置する装置に比べて、構造を簡単にすることができる。
【符号の説明】
【００１７】
４…エンドレス状搬送ベルト、５…コンベヤ装置、６…駆動装置
【図１】
2011093574.tif 000003
【図２】
2011093574.tif 000004